(57)【要約】【課題】断熱容器を断熱蓋で閉塞する際に、搬送ボックスと個々の搬送物とを繋ぎ留めるための紐が断熱容器と断熱蓋との間に挟まることを防止することができる搬送ボックスの提供。【解決手段】搬送物を収納する収納空間を有する断熱容器と、前記断熱容器の開口部を閉塞する断熱蓋と、前記断熱容器の前記収納空間の温度を予め設定された温度帯域に維持する温度制御ユニットと、を備え、前記断熱容器は、前記収納空間を形成する壁面に、前記搬送物を繋ぎ留めるための留部を有すること、を特徴とする搬送ボックス。【選択図】図４
2018154366.tif 000002
【特許請求の範囲】
【請求項１】
搬送物を収納する収納空間を有する断熱容器と、
前記断熱容器の開口部を閉塞する断熱蓋と、
前記断熱容器の前記収納空間の温度を予め設定された温度帯域に維持する温度制御ユニットと、を備え、
前記断熱容器は、前記収納空間を形成する壁面に、前記搬送物を繋ぎ留めるための留部を有すること、
を特徴とする搬送ボックス。
【請求項２】
前記断熱容器は、前記収納空間を形成するように前記断熱容器の内側に装着された伝熱容器を含み、
前記留部は、前記伝熱容器の内面に設けられること、
を特徴とする請求項１に記載の搬送ボックス。
【請求項３】
前記留部は、前記伝熱容器の縁部に沿って設けられること、
を特徴とする請求項２に記載の搬送ボックス。
【請求項４】
前記留部は、前記収納空間を形成する前記壁面から突出する第１及び第２突出片と、前記第１突出片と前記第２突出片との間を接続する接続片と、を含むこと、
を特徴とする請求項１〜３のいずれか一項に記載の搬送ボックス。
【請求項５】
前記断熱蓋が前記断熱容器の前記開口部を閉塞した状態が維持されているか解除されたかが判別されるように、
前記断熱容器は、結束バンドを挿通するための第１孔を有し、
前記断熱蓋は、前記断熱蓋が前記断熱容器の前記開口部を閉塞した状態において前記結束バンドが挿通されるように前記第１孔と重なり合う第２孔を有すること
を特徴とする請求項１〜４のいずれか一項に記載の搬送ボックス。
【発明の詳細な説明】
【技術分野】
【０００１】
本発明は、搬送ボックスに関し、特に、血液製剤のように厳密な温度管理を必要とする搬送物を搬送することに好適な搬送ボックスに関する。
【背景技術】
【０００２】
例えば血液製剤のように、生成（精製）から使用（輸血）までの各段階において厳格な温度管理を必要とする医薬品がある。例えば血液製剤の搬送時では、該当する血液製剤が搬送ボックスから取り出されたかどうかは、血液製剤の状態を管理するうえで重要である。
【０００３】
この点、断熱容器を閉塞する断熱蓋の内面に、個々の血液製剤を繋ぎ留めるための紐を括り付け、かかる紐が切断されたかどうかによって、対応する血液製剤が搬送ボックスから取り出されたかどうかを判別することが知られている（例えば特許文献１）。
【先行技術文献】
【特許文献】
【０００４】
【特許文献１】ＰＣＴ／ＪＰ２０１５／０５４３３１  国際公開パンフレット
【発明の概要】
【発明が解決しようとする課題】
【０００５】
しかし、断熱容器の開口部を断熱蓋で閉塞する際に、紐が断熱容器と断熱蓋との間に挟まるおそれがある。これにより、紐が切断され、対応する血液製剤の状態が不明になるおそれがある。また、紐が切断されないとしても、紐及び搬送ボックスが痛むおそれがあるとともに、搬送ボックスからの熱漏れの増大を招来しかねない。
【０００６】
そこで、本発明は、断熱容器を断熱蓋で閉塞する際に、搬送ボックスと個々の搬送物とを繋ぎ留めるための紐が断熱容器と断熱蓋との間に挟まることを防止することができる搬送ボックスを提供することを目的とする。
【課題を解決するための手段】
【０００７】
上述した課題を解決すべく、本発明は、搬送物を収納する収納空間を有する断熱容器と、前記断熱容器の開口部を閉塞する断熱蓋と、前記断熱容器の前記収納空間の温度を予め設定された温度帯域に維持する温度制御ユニットと、を備え、前記断熱容器は、前記収納空間を形成する壁面に、前記搬送物を繋ぎ留めるための留部を有すること、を特徴とする搬送ボックスを提供する。
【０００８】
上記のような構成を有する本発明の搬送装置では、前記断熱容器が、前記収納空間を形成するように前記断熱容器の内側に装着された伝熱容器を含み、前記留部が、前記伝熱容器の内面に設けられること、が好ましい。
【０００９】
また、上記のような構成を有する本発明の搬送装置では、前記留部が、前記伝熱容器の縁部に沿って設けられること、が好ましい。
【００１０】
また、上記のような構成を有する本発明の搬送装置では、前記留部が、前記収納空間を形成する前記壁面から突出する第１及び第２突出片と、前記第１突出片と前記第２突出片との間を接続する接続片と、を含むこと、が好ましい。
【００１１】
また、上記のような構成を有する本発明の搬送装置では、前記断熱蓋が前記断熱容器の前記開口部を閉塞した状態が解除されたか否かが判別されるように、前記断熱容器は、結束バンドを挿通するための第１孔を有し、前記断熱蓋は、前記断熱蓋が前記断熱容器の前記開口部を閉塞した状態において前記結束バンドが挿通されるように前記第１孔と重なり合う第２孔を有すること、が好ましい。
【発明の効果】
【００１２】
上記本発明の搬送装置を用いることにより、断熱容器を断熱蓋で閉塞する際に、搬送ボックスと個々の搬送物とを繋ぎ留めるための紐が断熱容器と断熱蓋との間に挟まることを防止することが可能となる。
【図面の簡単な説明】
【００１３】
【図１】本発明の実施形態に係る搬送ボックスの外観構成を示す斜視図である。
【図２】本発明の実施形態に係る搬送ボックスの断熱蓋が開いた状態を示す斜視図である。
【図３】本発明の実施形態に係る搬送ボックスの内部構造を示す断面図である。
【図４】本発明の実施形態に係る搬送ボックスに搬送物が収納された状態の一例を示す部分拡大図である。
【図５】本発明の実施形態に搬送ボックスの断熱容器及び断熱蓋に形成された孔を示す部分拡大図である。
【図６】図５の孔に結束バンドが挿通された状態の一例を示す図である。
【図７】図６の結束バンドを切断する様子の一例を示す図である。
【発明を実施するための形態】
【００１４】
以下、本発明の代表的な実施形態について、図面を参照しつつ詳細に説明する。ここでは厳格な温度管理を要する搬送物の例として血液製剤を挙げるが、本発明はこれらに限定されるものではない。また、図面は、本発明を概念的に説明するためのものであるから、理解を容易にするために、必要に応じて寸法、比又は数を誇張又は簡略化して表している場合もある。
【００１５】
［搬送ボックスの全体構成］
図１〜図３を参照して、本実施形態に係る搬送ボックス１の全体構成を説明する。図１は、搬送ボックス１の外観構成を示す斜視図である。図２は、搬送ボックス１の断熱蓋２０が開いた状態を示す斜視図である。図３は、搬送ボックス１の内部構造を示す断面図である。
【００１６】
搬送ボックス１は、血液製剤などの搬送物９０を予め設定された温度帯域に維持しながら搬送することに適した容器であり、図３に示すように、断熱容器１０と、断熱蓋２０と、電子冷却ユニット３０と、部品格納部４０と、を含んで構成される。
【００１７】
（断熱容器）
断熱容器１０は、搬送物９０を収納する収納空間１４を有する、断熱性の容器である。本実施形態において、断熱容器１０は、図２に示すように、全体として箱型を呈し、上面に向かって開口する開口部１５を有する。かかる断熱容器１０は、ケーシング１１と、ケーシング１１に内包された断熱材１２と、伝熱容器１３と、を含む。
【００１８】
ケーシング１１は、例えばポリプロピレンやＡＢＳ樹脂などの合成樹脂、あるいは金属で形成される。追って詳述するように、ケーシング１１には、結束バンド７５を挿通するための孔７１が形成されている。
【００１９】
断熱材１２は、例えば注入硬質発泡ウレタン、真空断熱材、発砲スチロールあるいはそれらの組合せで形成される。
【００２０】
伝熱容器１３は、収納空間１４を形成するように断熱容器１０の内側に装着される、伝熱性に優れた容器である。本実施形態において、伝熱容器１３は、箱型を呈し、断熱容器１０の上面に向かって開口している。伝熱容器１３は、後述する電子冷却ユニット３０からの熱が効率よく伝熱容器１３全体に伝わるように、例えば、表面がアルマイト処理されたアルミニウムで形成される。
なお、伝熱容器１３の内面には、追って述べるように留部６０が設けられている。
【００２１】
伝熱容器１３の上縁部１３Ａは、断熱容器１０の内周面よりも外側に広がっており、断熱材１２に入り込んでいる。これは、伝熱容器１３の上縁部１３Ａが断熱容器１０の内周面に露呈することで、ユーザが搬送ボックス１から搬送物９０を出し入れする際に例えば手袋などを損傷することを防止するためである。
【００２２】
（断熱蓋）
断熱蓋２０は、断熱容器１０の開口部１５を開閉自在に閉塞する、断熱性に優れた蓋である。断熱蓋２０は、ケーシング２１と、ケーシング２１に内包された断熱材２２と、を含む。ケーシング２１及び断熱材２２の素材は、それぞれ断熱容器１０のケーシング１１及び断熱材と同様でよい。
追って述べるように、ケーシング２１には、断熱容器１０のケーシング１１に形成された孔７１に対応する孔７２が形成されている。
【００２３】
断熱蓋２０は、断熱容器１０に対して図１に符号Ａで示す方向に回動するように、断熱容器１０の上縁部に設けられたヒンジ構造によって支持されている。
断熱蓋２０は、閉じた状態において開口部１５を閉塞するように、蓋本体から断熱容器１０の内側（下側）に向けて突出する突出部２５を有する。かかる突出部２５により、庫内の熱漏れが抑制される。
【００２４】
突出部２５の下面（内面）には、伝熱性に優れた伝熱板２４が取り付けられている。伝熱板２４は、伝熱容器１３と同様に、例えば表面がアルマイト処理されたアルミニウム板で形成される。伝熱板２４の下面は、熱輻射による輻射冷却が有効に行われるように、収納空間１４に対して露出している。
【００２５】
断熱蓋２０において断熱容器１０と当接する部位にはパッキング２３が設けられ、これにより収納空間（庫内）１４の気密性が確保される。なお、パッキング２３は、断熱容器１０側に設けられてもよい。
【００２６】
（電子冷却ユニット）
電子冷却ユニット３０は、伝熱容器１３の外面に接触して収納空間１４の温度を予め設定された温度帯域に維持する温度制御ユニットである。電子冷却ユニット３０は、熱導体３１，３２と、これら熱導体３１，３２の間に介在するペルチェ素子３３と、熱導体３２においてペルチェ素子３３と反対側に取り付けられた放熱フィン３４と、放熱フィン３４に冷却用空気を送風するファン（図示せず）と、を含んで構成されている。
【００２７】
伝熱容器１３の側壁において電子冷却ユニット３０が取り付けられている箇所の内面側には、例えば発泡性樹脂シートなどの断熱シート３５が貼付されている。このような箇所に搬送物９０が直接接触することによる、搬送物９０の局部的な過冷却を防止するためである。
【００２８】
（部品格納部）
部品格納部４０には、電子冷却ユニット３０を構成する放熱フィン３４及び図示しないファンのほか、給電制御基板４１、内蔵電池４２、ＤＣジャック４４の差込基板４３、記録・表示ユニット４６などの部品が格納されている。
【００２９】
給電制御基板４１は、搬送ボックス１の各所に設置された温度センサの検出信号に基づいて、電子冷却ユニット３０への給電量を制御する。ここで、温度センサの例は、伝熱容器１３において電子冷却ユニット３０の取付位置とは反対側に設けられた温度センサ５１、伝熱容器１３において電子冷却ユニット３０の近傍に設けられた温度センサ５２、外気温度を測定するための温度センサ５３などである。
【００３０】
これら温度センサの検出信号は記録・表示ユニット４６に送信され、搬送物９０の管理データとしてサンプリング時刻とともに記録される。なお、記録・表示ユニット４６の上面は、図１に符号Ｂで示される方向に回動する透明なカバー４７で覆われている。
【００３１】
内蔵電池４２は、例えばリチウムイオン電池などの２次電池である。搬送物９０の搬送中は、搬送ボックス１は、内蔵電池４２の給電によって駆動される。
【００３２】
ＤＣジャック４４にはＡＣアダプタ４５が接続されており、ＤＣジャック４４を差込基板４３に差し込むことにより外部電源の利用が可能となっている。搬送ボックス１を搬送先（例えば病院）で保冷庫として利用する場合、外部電源でペルチェ素子３３などに給電しながら、内蔵電池４２を充電することができる。
【００３３】
上述した構成を有する搬送ボックス１は、外部環境の変化に関わらず、搬送物９０を含む収納空間１４を、予め設定された温度帯域に維持することができる。例えば搬送物９０が血液製剤である場合、庫内温度は、赤血球の保存に適した第１の温度帯域（２℃〜６℃）、血小板の保存に適した第２の温度帯域（２０℃〜２４℃）、又は、凍結血漿の保存に適した第３の温度帯（−２０℃以下）のいずれかに維持される必要があるところ、搬送ボックス１は、このような要求に応えることができる。
【００３４】
［留部］
図４を参照して、留部６０を説明する。図４は、搬送ボックス１に搬送物９０が収納された状態を示す部分拡大図である。
図４に示すように、伝熱容器１３によって形成される収納空間１４に、血液製剤９１，９２のような収納物が収納される。収納された血液製剤９１，９２は、留部６０及び紐９５，９６を介してそれぞれ伝熱容器１３（断熱容器１０）に繋ぎ留められている。
【００３５】
留部６０は、伝熱容器１３の内面に設けられている。これにより、断熱容器１０の開口部１５を断熱蓋２０で閉塞したときに、紐９５，９６が断熱容器１０と断熱蓋２０との間に挟まれることを防止することができる。
【００３６】
留部６０は、紐９５，９６を取り付けやすいように、伝熱容器１３の上縁部１３Ａに沿って設けられることが好ましい。また、留部６０は、紐９５，９６が断熱容器１０と断熱蓋２０との間に挟まれることを確実に防止するべく、伝熱容器１３の上縁部１３Ａから底部側に向かって一定の距離だけ離れた位置に設けられることが好ましい。
【００３７】
留部６０は、伝熱容器１３の内面から突出する突出片６１，６２と、これら突出片６１，６２同士を接続する接続片６３と、を含んで構成されてもよい。かかる構成の留部６０を、後述するアンビタッチバンドのような紐部材と組み合わせて使用することで、搬送物９０の管理が容易となる。
【００３８】
紐９５，９６は、長尺状の接続部材であり、例えばアンビタッチバンドのように、一旦留部６０に取り付けられると、紐を切断することなく留部６０から取り外すことのできないものであることが好ましい。例えば血液製剤９１を搬送ボックス１の外に取り出すためには、紐９５を切断する必要がある。そして、一旦外部に取出した血液製剤９１を搬送ボックス１内に戻しても、血液製剤９１はもはや紐９５で繋ぎ留められていない。このような状態の血液製剤９１を管理外ないし使用済みとして扱うことで、搬送物９０の状態を容易に把握することができる。
【００３９】
［結束バンド用の孔］
図５〜図７を参照して、結束バンド７５を挿通するための孔７１，７２を説明する。図５は、断熱容器１０及び断熱蓋２０に形成された孔７１，７２を示す部分拡大図である。図６は、孔７１，７２に結束バンド７５が挿通された状態の一例を示す図である。図７は、孔７１，７２に挿通された結束バンド７５を切断する様子の一例を示す図である。
【００４０】
上述したように、断熱容器１０及び断熱蓋２０にはそれぞれ孔７１及び孔７２が形成されている。孔７１，７２は、図５に示すように、断熱蓋２０が断熱容器１０の開口部１５を閉塞した状態において、結束バンド７５を挿通することができるように、重なり合って１つの孔を形成する。
【００４１】
結束バンド７５は、例えばアンビタッチバンドのように、一旦孔７１，７２に取り付けられると、結束バンドを切断することなく孔７１，７２から取り外すことのできないものであることが好ましい。ユーザは、図６のように結束バンド７５が孔７１，７２に結束されている状態を確認することで、搬送ボックス１が発送以降、未開封であり、搬送ボックス１の温度管理が継続していることを容易に把握することができる。このことは、留部６０とあいまって、搬送物９０の状態管理を容易にする。
【００４２】
なお、図７のように、孔７１，７２に挿通された結束バンド７５と断熱容器１０又は断熱蓋２０との間に、はさみ７６の刃先が入るほどの隙間７７が形成されていることが好ましい。かかる隙間７７により、はさみ７６のような切断具による結束バンド７５の切断が容易になる。
【００４３】
以上、本発明の代表的な実施形態について説明したが、本発明はこれらに限定されるものではなく、種々の設計変更が可能であり、それらも本発明に含まれる。例えば、上記実施形態においては、血液製剤９１，９２は、留部６０及び紐９５，９６を介してそれぞれ伝熱容器１３（断熱容器１０）に繋ぎ留められている態様について説明したが、血液製剤何らかの接続部材を用いて留部に繋げられればよい。例えば、樹脂製のナスカン、レバースナップ又はカラビナ等の接続部材を用いてもよい。
【符号の説明】
【００４４】
１・・・搬送ボックス、
１０・・・断熱容器、
１３・・・伝熱容器、
１４・・・収納空間、
２０・・・断熱蓋、
３０・・・電子冷却ユニット、
６０・・・留部、
７１，７２・・・孔。
【図１】
2018154366.tif 000003
【図２】
2018154366.tif 000004
【図３】
2018154366.tif 000005
【図４】
2018154366.tif 000006
【図５】
2018154366.tif 000007
【図６】
2018154366.tif 000008
【図７】
2018154366.tif 000009